(57)【要約】    紙葉類処理装置（１００）は、投入された紙葉類（Ｐ）を搬送する搬送路（５）と、紙葉類（Ｐ）を一時的に保留した後に繰り出す一時保留部（３）と、紙葉類を収納する収納庫（１０）とを備えている。一時保留部（３）は、複数枚の紙葉類（Ｐ）を一時的に保留した後に、一括で繰り出す。搬送路（５）は、一時保留部（３）から繰り出された複数枚の紙葉類（Ｐ）を一括で搬送する一括搬送路（６）を有する。収納庫（１０）は、一括搬送路（６）により搬送された複数枚の紙葉類（Ｐ）を受け入れる受入口（１１）を有する。一括搬送路（６）は、上下方向（Ｕ、Ｄ）と平行に配置される。一時保留部（３）は、一括搬送路（６）に対して垂直な側方に配置される。収納庫（１０）は、一時保留部（３）および一括搬送路（６）より下方に配置される。受入口（１１）は、一括搬送路（６）の直下に配置される。
2013014698.tif 000002
【特許請求の範囲】
【請求項１】
投入された紙葉類を搬送する搬送路と、
紙葉類を一時的に保留した後に繰り出す一時保留部と、
紙葉類を収納する収納庫と、を備えた紙葉類処理装置において、
前記一時保留部は、複数枚の紙葉類を一時的に保留した後に、一括で繰り出し、
前記搬送路は、前記一時保留部から繰り出された複数枚の紙葉類を一括で搬送する一括搬送路を備え、
前記収納庫は、前記一括搬送路により搬送された複数枚の紙葉類を受け入れる受入口を備え、
前記一括搬送路を、上下方向と平行に配置し、
前記一時保留部を、前記一括搬送路に対して垂直な側方に配置し、
前記収納庫を、前記一時保留部および前記一括搬送路より下方に配置し、
前記受入口を、前記一括搬送路の直下に配置した、ことを特徴とする紙葉類処理装置。
【請求項２】
請求項１に記載の紙葉類処理装置において、
前記一時保留部を、前記一括搬送路に対して垂直な側方に複数配置した、  ことを特徴とする紙葉類処理装置。
【請求項３】
請求項１または請求項２に記載の紙葉類処理装置において、
当該装置の前部に、紙葉類を投入する投入部を配置し、  
当該装置の中央に、前記一括搬送路を配置し、
前記一括搬送路の後方に、前記一時保留部を配置し、
前記収納庫の上面の中央に、前記受入口を設け、
前記収納庫は、
前記受入口の下方に設けられ、前記受入口から受け入れた複数枚の紙葉類を前後方向に集積して保留する集積部と、
前記集積部の前後にそれぞれ設けられ、紙葉類を収納する収納空間と、
前記集積部に保留された紙葉類を前記各収納空間に一括で送り込む送り込み手段と、を備えた、ことを特徴とする紙葉類処理装置。
【請求項４】
請求項３に記載の紙葉類処理装置において、
前記収納庫は、複数枚の紙葉類を前記受入口から一括で取り込む取り込み手段を備えた、ことを特徴とする紙葉類処理装置。
【請求項５】
請求項３または請求項４に記載の紙葉類処理装置において、
前記集積部は、
前後方向に対して垂直でかつ左右方向に所定の間隔をおいて設けられた１対のガイド板を、前後方向に所定の間隔をおいて２対設けて構成され、
前後方向に並ぶ前記ガイド板の間に複数枚の紙葉類を集積して保留し、
前記送り込み手段は、
上下方向に平行に設けられた押し込み棒と、
前記押し込み棒を左右方向に並ぶ前記ガイド板の間を通過させて前後方向へ往復移動させる移動手段と、から構成され、
前記押し込み棒が前記ガイド板の前側または後側から、後方または前方へ移動することにより、前記ガイド板間に保留された複数枚の紙葉類を、後側の収納空間または前側の収納空間に一括で押し込む、ことを特徴とする紙葉類処理装置。
【請求項６】
請求項３または請求項４に記載の紙葉類処理装置において、
前記集積部は、
上下方向と平行に溝を有し、左右方向に所定の間隔をおいて設けられた１対のガイド体と、
前記溝同士が対向するように、前記各ガイド体を前後に所定角度まで回転可能に支持する支持手段と、から構成され、
前記溝内および前記溝間に複数枚の紙葉類を集積して保留し、
前記送り込み手段は、
上下方向に平行に設けられた押し込み棒と、
前記押し込み棒を前記ガイド体の間を通過させて前後方向へ往復移動させる移動手段と、から構成され、
前記押し込み棒が前記ガイド体の前側または後側から、後方または前方へ移動することにより、前記溝に保留された複数枚の紙葉類を、後側の収納空間または前側の収納空間に一括で押し込む、ことを特徴とする紙葉類処理装置。  
【請求項７】
請求項３ないし請求項５のいずれかに記載の紙葉類処理装置において、
前記収納庫は、前記集積部に保留された紙葉類を、左右方向から中央に集めるセンタリング手段を備えた、ことを特徴とする紙葉類処理装置。
【請求項８】
請求項７に記載の紙葉類処理装置において、
前記センタリング手段は、
前記集積部の左右に設けられた１対のセンタリングガイドと、
前記センタリングガイド同士を近づけたり遠ざけたりするように駆動して、前記集積部の左右方向の幅を変化させる駆動手段と、から構成され、
前記センタリングガイド同士が近づいて、前記集積部の左右方向の幅が狭くなることにより、前記集積部に保留された紙葉類が中央に移動する、ことを特徴とする紙葉類処理装置。
【請求項９】
複数枚の紙葉類を上方から受け入れる受入口と、
複数枚の紙葉類を前記受入口から一括で取り込む取り込み手段と、
前記受入口の下方に設けられ、前記取り込み手段により取り込んだ複数枚の紙葉類を前後方向に集積して保留する集積部と、
前記集積部の前後にそれぞれ設けられ、紙葉類を収納する収納空間と、
前記集積部に保留された紙葉類を前記各収納空間に一括で送り込む送り込み手段と、を備えた、ことを特徴とする紙葉類収納装置。
【請求項１０】
請求項９に記載の紙葉類収納装置において、
前記集積部は、
前後方向に対して垂直でかつ左右方向に所定の間隔をおいて設けられた１対のガイド板を、前後方向に所定の間隔をおいて２対設けて構成され、
前後方向に並ぶ前記ガイド板の間に複数枚の紙葉類を集積して保留し、
前記送り込み手段は、
上下方向に平行に設けられた押し込み棒と、
前記押し込み棒を左右方向に並ぶ前記ガイド板の間を通過させて前後方向へ往復移動させる移動手段と、から構成され、
前記押し込み棒が前記ガイド板の前側または後側から、後方または前方へ移動することにより、前記ガイド板間に保留された複数枚の紙葉類を、後側の収納空間または前側の収納空間に一括で押し込む、ことを特徴とする紙葉類収納装置。
【請求項１１】
請求項９に記載の紙葉類収納装置において、
前記集積部は、
上下方向と平行に溝を有し、左右方向に所定の間隔をおいて設けられた１対のガイド体と、
前記溝同士が対向するように、前記各ガイド体を前後に所定角度まで回転可能に支持する支持手段と、から構成され、
前記溝内および前記溝間に複数枚の紙葉類を集積して保留し、
前記送り込み手段は、
上下方向に平行に設けられた押し込み棒と、
前記押し込み棒を前記ガイド体の間を通過させて前後方向へ往復移動させる移動手段と、から構成され、
前記押し込み棒が前記ガイド体の前側または後側から、後方または前方へ移動することにより、前記溝に保留された複数枚の紙葉類を、後側の収納空間または前側の収納空間に一括で押し込む、ことを特徴とする紙葉類収納装置。
【請求項１２】
請求項９または請求項１０に記載の紙葉類収納装置において、
前記集積部に保留された紙葉類を、左右方向から中央に集めるセンタリング手段を備えた、ことを特徴とする紙葉類収納装置。
【請求項１３】
請求項１２に記載の紙葉類収納装置において、
前記センタリング手段は、
前記集積部の左右に設けられた１対のセンタリングガイドと、
前記センタリングガイド同士を近づけたり遠ざけたりするように駆動して、前記集積部の左右方向の幅を変化させる駆動手段と、から構成され、
前記センタリングガイド同士が近づいて、前記集積部の左右方向の幅が狭くなることにより、前記集積部に保留された紙葉類が中央に移動する、ことを特徴とする紙葉類収納装置。
【発明の詳細な説明】
【技術分野】
【０００１】
本発明は、紙葉類を受け付けて処理する紙葉類処理装置、および紙葉類を収納する紙葉類収納装置に関する。
【背景技術】
【０００２】
紙葉類処理装置として、たとえばＡＴＭ（Automated  Teller  Machine：現金自動預金支払機）に搭載される、入出金処理装置、入金処理装置、および出金処理装置がある。また、紙葉類収納装置として、前記各装置に搭載される、紙幣の収納庫などがある。【０００３】
入出金処理装置や入金処理装置では、投入された紙幣の取り消し処理を可能にするために、紙幣を一時保留部で一時的に保留して、入金が確定した後に、紙幣を収納庫に収納することが一般的である。また、入金された紙幣を出金に使用する還流式の入出金処理装置では、特許文献１に開示されているように、紙幣を一時保留部から一枚ずつ繰り出して、金種別に設けられた各収納庫に収納することが一般的である。一方、入金専用の入金処理装置には、複数枚の紙幣を一時保留部から一括で搬送して、収納庫に収納するものがある。【０００４】
特許文献１〜３には、１枚ずつ搬送された紙幣を次々にドラムに巻きつけて保留した後、該紙幣を１枚ずつ繰り出す一時保留部の構造が開示されている。特許文献４には、１枚ずつ搬送された紙幣を次々に厚み方向に重ねて保持した後、該紙幣を一括して排出する紙幣スタックユニットの構造が開示されている。【０００５】
特許文献５には、開口部上に搬送された紙葉類を、押圧体により収納空間に押し込む紙葉類収納装置が開示されている。特許文献６には、金庫内に上下２つの収納空間を有し、金庫の上面と下面の各開口部上に搬送された紙幣を、押圧体により各収納空間に押し込む紙幣収納装置が開示されている。
【先行技術文献】
【特許文献】
【０００６】
【特許文献１】特許第３４３７４０３号公報
【特許文献２】特許第４２７３０６１号公報
【特許文献３】特開平８−２６８６１７号公報
【特許文献４】特許第４１８８５１４号公報
【特許文献５】特開平５−３１４３４２号公報
【特許文献６】特開２００３−１７８３５０号公報
【発明の概要】
【発明が解決しようとする課題】
【０００７】
一時的に保留された紙葉類を１枚ずつ収納庫に収納する場合は、紙幣の枚数が多いほど、収納するのに時間がかかり、ジャム障害（紙づまり）の発生するリスクが高くなる。【０００８】
一方、一時的に保留された紙葉類を一括で収納庫に収納する場合は、複数枚の紙葉類を一括で搬送する際に、搬送路上に設けられた回転体に紙葉類を巻きつけるなどして、紙葉類を屈曲させて搬送方向を変更すると、紙葉類同士の前後の位置がずれてしまう。このような紙葉類同士の前後の位置ずれは、搬送方向の変更箇所が多いほど大きくなり、搬送路上での紙葉類の滞留によるジャム障害や、収納庫でのジャム障害などの発生するリスクが高くなる。【０００９】
そこで、本発明の課題は、紙葉類の収納時間の短縮とジャム障害の発生リスクの軽減を図ることが可能な紙葉類処理装置および紙葉類収納装置を提供することである。
【課題を解決するための手段】
【００１０】
本発明では、投入された紙葉類を搬送する搬送路と、紙葉類を一時的に保留した後に繰り出す一時保留部と、紙葉類を収納する収納庫と、を備えた紙葉類処理装置において、一時保留部は、複数枚の紙葉類を一時的に保留した後に、一括で繰り出し、搬送路は、一時保留部から繰り出された複数枚の紙葉類を一括で搬送する一括搬送路を備え、収納庫は、一括搬送路により搬送された複数枚の紙葉類を受け入れる受入口を備える。そして、一括搬送路を、上下方向と平行に配置し、一時保留部を、一括搬送路に対して垂直な側方に配置し、収納庫を、一時保留部および一括搬送路より下方に配置し、受入口を、一括搬送路の直下に配置する。【００１１】
このようにすることで、複数枚の紙葉類が一括して、一時保留部から繰り出されて、一括搬送路により搬送され、受入口から収納庫内に収納されるため、複数枚の紙葉類の収納時間を短縮することが可能となる。また、複数枚の紙葉類を一括して一時保留部から収納庫に搬送して収納するまでに、紙葉類を屈曲させて搬送方向を変更する箇所は、一時保留部から一括搬送路へ合流する１箇所だけになる。このため、紙葉類同士の前後の位置ずれを最小限に抑えて、搬送路上での紙葉類の滞留によるジャム障害や、収納庫でのジャム障害の発生リスクを軽減することが可能となる。【００１２】
また、本発明では、上記紙葉類処理装置において、一時保留部を、一括搬送路に対して垂直な側方に複数配置してもよい。【００１３】
また、本発明では、上記紙葉類処理装置において、当該装置の前部に、紙葉類を投入する投入部を配置し、当該装置の中央に、一括搬送路を配置し、一括搬送路の後方に、一時保留部を配置し、収納庫の上面の中央に、受入口を設けるようにしてもよい。この場合、収納庫は、受入口の下方に設けられ、受入口から受け入れた複数枚の紙葉類を前後方向に集積して保留する集積部と、集積部の前後にそれぞれ設けられ、紙葉類を収納する収納空間と、集積部に保留された紙葉類を各収納空間に一括で送り込む送り込み手段とを備えるようにしてもよい。【００１４】
また、本発明では、上記紙葉類処理装置において、収納庫は、複数枚の紙葉類を受入口から一括で取り込む取り込み手段を備えるようにしてもよい。【００１５】
また、本発明では、上記紙葉類処理装置において、集積部は、前後方向に対して垂直でかつ左右方向に所定の間隔をおいて設けられた１対のガイド板を、前後方向に所定の間隔をおいて２対設けて構成され、前後方向に並ぶガイド板の間に複数枚の紙葉類を集積して保留するようにしてもよい。送り込み手段は、上下方向に平行に設けられた押し込み棒と、押し込み棒を左右方向に並ぶガイド板の間を通過させて前後方向へ往復移動させる移動手段とから構成されるようにしてもよい。この場合、押し込み棒がガイド板の前側または後側から、後方または前方へ移動することにより、ガイド板間に保留された複数枚の紙葉類を、後側の収納空間または前側の収納空間に一括で押し込むようにしてもよい。【００１６】
また、本発明では、上記紙葉類処理装置において、集積部は、上下方向と平行に溝を有し、左右方向に所定の間隔をおいて設けられた１対のガイド体と、溝同士が対向するように、各ガイド体を前後に所定角度まで回転可能に支持する支持手段とから構成され、溝内および溝間に複数枚の紙葉類を集積して保留するようにしてもよい。送り込み手段は、上下方向に平行に設けられた押し込み棒と、押し込み棒をガイド体の間を通過させて前後方向へ往復移動させる移動手段とから構成されるようにしてもよい。この場合、押し込み棒がガイド体の前側または後側から、後方または前方へ移動することにより、溝に保留された複数枚の紙葉類を、後側の収納空間または前側の収納空間に一括で押し込むようにしてもよい。【００１７】
また、本発明では、上記紙葉類処理装置において、収納庫は、集積部に保留された紙葉類を、左右方向から中央に集めるセンタリング手段を備えるようにしてもよい。【００１８】
また、本発明では、上記紙葉類処理装置において、センタリング手段は集積部の左右に設けられた１対のセンタリングガイドと、センタリングガイド同士を近づけたり遠ざけたりするように駆動して、集積部の左右方向の幅を変化させる駆動手段とから構成され、センタリングガイド同士が近づいて、集積部の左右方向の幅が狭くなることにより、集積部に保留された紙葉類が中央に移動するようにしてもよい。【００１９】
また、本発明では、紙葉類収納装置において、複数枚の紙葉類を上方から受け入れる受入口と、複数枚の紙葉類を受入口から一括で取り込む取り込み手段と、受入口の下方に設けられ、取り込み手段により取り込んだ複数枚の紙葉類を前後方向に集積して保留する集積部と、集積部の前後にそれぞれ設けられ、紙葉類を収納する収納空間と、集積部に保留された紙葉類を各収納空間に一括で送り込む送り込み手段とを備える。【００２０】
このようにすることで、複数枚の紙葉類が一括して、受入口から取り込まれて集積部で集積されて、前後の各収納空間に収納されるので、複数枚の紙葉類の収納時間を短縮することが可能となる。また、複数枚の紙葉類を一括して受入口から取り込んで前後の各収納空間に収納するまでに、紙葉類を屈曲させて向きを変更する必要がないので、紙葉類同士が前後にずれるのを抑えて、ジャム障害の発生リスクを軽減することが可能となる。【００２１】
また、本発明では、上記紙葉類収納装置において、集積部は、前後方向に対して垂直でかつ左右方向に所定の間隔をおいて設けられた１対のガイド板を、前後方向に所定の間隔をおいて２対設けて構成され、前後方向に並ぶガイド板の間に複数枚の紙葉類を集積して保留するようにしてもよい。送り込み手段は、上下方向に平行に設けられた押し込み棒と、押し込み棒を左右方向に並ぶガイド板の間を通過させて前後方向へ往復移動させる移動手段とから構成されるようにしてもよい。この場合、押し込み棒がガイド板の前側または後側から、後方または前方へ移動することにより、ガイド板間に保留された複数枚の紙葉類を、後側の収納空間または前側の収納空間に一括で押し込むようにしてもよい。【００２２】
また、本発明では、上記紙葉類収納装置において、集積部は、上下方向と平行に溝を有し、左右方向に所定の間隔をおいて設けられた１対のガイド体と、溝同士が対向するように、各ガイド体を前後に所定角度まで回転可能に支持する支持手段とから構成され、溝内および溝間に複数枚の紙葉類を集積して保留するようにしてもよい。送り込み手段は、上下方向に平行に設けられた押し込み棒と、押し込み棒をガイド体の間を通過させて前後方向へ往復移動させる移動手段とから構成されるようにしてもよい。この場合、押し込み棒がガイド体の前側または後側から、後方または前方へ移動することにより、各溝に保留された複数枚の紙葉類を、後側の収納空間または前側の収納空間に一括で押し込むようにしてもよい。【００２３】
また、本発明では、上記紙葉類収納装置において、集積部に保留された紙葉類を、左右方向から中央に集めるセンタリング手段を備えるようにしてもよい。【００２４】
さらに、本発明では、上記紙葉類収納装置において、センタリング手段は集積部の左右に設けられた１対のセンタリングガイドと、センタリングガイド同士を近づけたり遠ざけたりするように駆動して、集積部の左右方向の幅を変化させる駆動手段とから構成され、センタリングガイド同士が近づいて、集積部の左右方向の幅が狭くなることにより、集積部に保留された紙葉類が中央に移動するようにしてもよい。
【発明の効果】
【００２５】
本発明によれば、紙葉類の収納時間の短縮とジャム障害の発生リスクの軽減を図ることが可能な紙葉類処理装置および紙葉類収納装置を提供することができる。
【図面の簡単な説明】
【００２６】
【図１】図１は、本発明の一実施形態に係る紙葉類処理装置を示した図である。
【図２】図２は、図１の紙葉類処理装置による紙葉類の搬送状態を示した図である。
【図３】図３は、本発明の他の実施形態に係る紙葉類処理装置を示した図である。
【図４】図４は、本発明の他の実施形態に係る紙葉類処理装置を示した図である。
【図５】図５は、本発明の一実施形態に係る紙葉類収納装置を示した図である。
【図６】図６は、図５の紙葉類収納装置による紙葉類の収納動作を示した図である。
【図７】図７は、本発明の他の実施形態に係る紙葉類収納装置を示した図である。
【図８】図８は、図７の紙葉類収納装置による紙葉類の収納動作を示した図である。
【図９】図９は、本発明の他の実施形態に係る紙葉類収納装置を示した図である。
【図１０】図１０は、図９の紙葉類収納装置による紙葉類のセンタリング動作を示した図である。
【図１１】図１１は、本発明の他の実施形態に係る紙葉類収納装置を示した図である。
【発明を実施するための形態】
【００２７】
図１は、本発明の一実施形態に係る紙葉類処理装置１００を示した図である。紙葉類処理装置１００は、たとえばＡＴＭ（Automated  Teller  Machine：現金自動預金支払機）に搭載され、紙幣の入金処理を行う入金処理装置である。
【００２８】
制御部８は、紙葉類処理装置１００の各部の動作を制御する。投入部１には、複数枚の紙葉類（紙幣）Ｐを一度に投入することができる。投入部１は、投入された複数枚の紙葉類Ｐを一括で取り込んだ後、１枚ずつ分離して繰り出す。他の形態として、投入部１は、紙葉類を一度に１枚しか投入できないものであってもよい。
【００２９】
判別部２は、投入部１から１枚ずつ繰り出された紙葉類Ｐの金種や真偽などを判別する。搬送路５は、投入された紙葉類Ｐを各部へ搬送する。一時保留部３には、入金を受け付けて収納する紙葉類Ｐが搬送されて来る。一時保留部３は、回転ドラムやベルト等から構成され、１枚ずつ搬送されて来た紙葉類Ｐを回転ドラムの外周とベルトとの間に重ね合わせて集積し、一時的に保留する。また、一時保留部３は、回転ドラムが回転することにより、保留した複数枚の紙葉類Ｐを一括で繰り出す。
【００３０】
搬送路５には、一括搬送路６が備わっている。一括搬送路６は、一時保留部３から繰り出された複数枚の紙葉類Ｐを厚み方向に重なり合った状態で一括して搬送することができる。収納庫１０には、一括搬送路６により搬送されて来た複数枚の紙葉類Ｐを受け入れる受入口１１が備わっている。収納庫１０は、受入口１１から受け入れた紙葉類Ｐを内部の収納空間に収納する。
【００３１】
返却部４には、入金を受け付けずに返却する紙葉類Ｐが搬送されて来る。返却部４は、返却する紙葉類Ｐを集積して保留した後、一括して排出する。返却部４から排出された紙葉類Ｐは、一定時間内に取り去られない場合、回収箱７に回収される。他の形態として、返却部４は、返却する紙葉類が搬送されて来る度に排出するものであってもよい。
【００３２】
投入部１と返却部４は、紙葉類処理装置１００の前部（Ｆ方向側の部分）に配置されている。判別部２と制御部８は、投入部１の後方（Ｂ方向側）に配置されている。一括搬送路６は、紙葉類処理装置１００の中央に上下方向Ｕ、Ｄと平行に配置されている。一時保留部３は、一括搬送路６に対して垂直な側方、即ち一括搬送路６の後方に配置されている。その他の搬送路５は、紙葉類Ｐを各部へ搬送可能に配置されている。収納庫１０は、一時保留部３および一括搬送路６より下方（Ｄ方向側）に配置されている。収納庫１０の受入口１１は、一括搬送路６の直下に配置されている。回収箱７は、返却部４の後方で、返却部４より下方に配置されている。
【００３３】
図２は、紙葉類処理装置１００による紙葉類の搬送状態を示した図である。図２では、紙葉類Ｐ（図１参照）の図示を省略し、紙葉類Ｐの搬送経路を矢印で示してある。図２（ａ）に矢印で示すように、投入部１に投入された紙葉類Ｐは、投入部１から１枚ずつ繰り出されて、判別部２により金種や真偽が判別される。判別部２での判別の結果、入金を受け付ける紙葉類Ｐは、搬送路５により一時保留部３へ搬送される。そして、紙葉類Ｐは、一時保留部３で１枚ずつ重ね合わされて集積状態で一時的に保留される。
【００３４】
その後、入金が確定すると、図２（ｂ）に矢印で示すように、一時保留部３から、保留された紙葉類Ｐが一括して繰り出される。そして、紙葉類Ｐは、図示しない回転体に巻きつけられて屈曲され、搬送方向を前方から下方へ変更されて、一括搬送路６により一括して収納庫１０へ搬送される。収納庫１０において、紙葉類Ｐは、受入口１１から受け入れられて、内部の収納空間に収納される。
【００３５】
一方、入金が取り消されると、図２（ｃ）に矢印で示すように、一時保留部３から、保留された紙葉類Ｐが一括して繰り出されて、一括搬送路６により返却部４へ搬送される。そして、紙葉類Ｐは、返却部４で１枚ずつ重ね合わされて集積状態で保留された後、一括して排出される。
【００３６】
また、判別部２での判別の結果、入金を受け付けない紙葉類Ｐは、図２（ｄ）に示すように、一時保留部３を経由せずに、搬送路５により返却部４へ搬送される。そして、紙葉類Ｐは、返却部４で１枚ずつ重ね合わされて集積状態で保留された後、一括して排出される。
【００３７】
上記実施形態によると、複数枚の紙葉類Ｐが一括して、一時保留部３から繰り出されて、一括搬送路６により搬送され、受入口１１から収納庫１０内に収納されるので、複数枚の紙葉類Ｐの収納時間を短縮することが可能となる。
【００３８】
また、複数枚の紙葉類Ｐを一括して一時保留部３から収納庫１０に搬送して収納するまでに、紙葉類Ｐを屈曲させて搬送方向を変更する箇所は、一時保留部３から一括搬送路６へ合流する１箇所だけになる。このため、紙葉類Ｐ同士の前後の位置ずれを最小限に抑えて、搬送路５、６上での紙葉類の滞留によるジャム障害や、収納庫１０でのジャム障害の発生リスクを軽減することが可能となる。
【００３９】
また、搬送路５、６上にセンサを設けて、紙葉類Ｐの搬送状況を監視する場合、紙葉類Ｐ同士の前後の位置ずれが大きいと、センサにより紙葉類Ｐの搬送状況を正常に監視できなくなるといった、障害の発生するリスクが高くなる。然るに、本実施形態によると、紙葉類Ｐ同士の前後の位置ずれが最小限に抑えられるので、上記搬送監視の障害の発生リスクも軽減することが可能となる。
【００４０】
さらに、図１に示したように各部１〜７、１０、１１を配置したことで、バランスがよくなり、紙葉類Ｐの搬送効率の向上と、紙葉類処理装置１００の小型化を図ることが可能となる。
【００４１】
図３は、本発明の他の実施形態に係る紙葉類処理装置２００を示した図である。紙葉類処理装置２００には、一括搬送路６に対して垂直な側方（一括搬送路６の後方、Ｂ方向側）に、複数の一時保留部３ａ、３ｂが配置されている。各一時保留部３ａ、３ｂは、紙葉類Ｐを所定枚数まで集積して一時的に保留することができる。
【００４２】
一括搬送路６が一括で搬送可能な紙葉類Ｐの枚数には限界があり、その限界枚数によって、投入部１へ一括投入できる紙葉類Ｐの枚数が制限される。然るに、上記実施形態のように、一時保留部３ａ、３ｂを複数配置することで、一括投入できる紙葉類Ｐの枚数を増やすことができる。
【００４３】
また、たとえば、サイズが大きく異なる複数枚の紙葉類Ｐを一括で搬送する場合、搬送中に紙葉類同士でずれが生じたり、重なり合った紙葉類Ｐの厚みが部位によって異なるために、搬送力が不安定になったりして、一部の紙葉類Ｐが滞留し、ジャム障害の発生するリスクが高くなる。然るに、上記実施形態では、判別部２での判別の結果に基づき、紙葉類Ｐの大きさによって搬送する一時保留部３ａ、３ｂを選択して、紙葉類Ｐを分割保留することができる。このため、サイズが似かよった紙葉類Ｐ毎に、一括して収納庫１０へ搬送することが可能になり、一括搬送の信頼性を高めることができる。
【００４４】
図４は、本発明の他の実施形態に係る紙葉類処理装置３００を示した図である。紙葉類処理装置３００には、一括搬送路６に対して垂直な側方に、一時保留部３に加えて、退避用の一時保留部９ａ、９ｂが配置されている。各一時保留部９ａ、９ｂは、一時保留部３から一括で搬送されて来た紙葉類Ｐを一時的に保留した後、一括で繰り出す。
【００４５】
一時保留部３で保留される紙葉類Ｐが限界枚数に達すると、紙葉類Ｐを一時保留部３から一括して繰り出して、どちらかの一時保留部９ａ、９ｂに搬送して退避させる。これにより、一時保留部３で紙葉類Ｐの一時保留が再度可能になるので、一時保留部３の保留限界枚数を超えた紙葉類Ｐの取引を行うことができる。
【００４６】
また、一時保留部３で一旦整列された紙葉類Ｐは、一時保留部９ａ、９ｂでは整列されないので、一時保留部９ａ、９ｂは一時保留部３よりも構造が簡単である。このため、一時保留部３を複数設けるよりも、一時保留部９ａ、９ｂを少なくとも１つ追加する方が、低コストで一時保留枚数を増加させることができる。
【００４７】
図５は、本発明の一実施形態に係る紙葉類収納装置１０を示した図である。詳しくは、紙葉類収納装置１０の内部の上面図を図５（ａ）に示し、図５（ａ）でＬ方向側から見た側面図を図５（ｂ）に示している。図６は、紙葉類収納装置１０による紙葉類の収納動作を示した図である。
【００４８】
紙葉類収納装置１０は、図１〜図４に示した収納庫１０の一例であり、紙葉類処理装置１００、２００、３００に搭載される。図５（ｂ）に示すように、紙葉類収納装置１０の上面の中央には、受入口１１が設けられている。受入口１１は、図１などに示した一括搬送路６の直下に配置される。
【００４９】
受入口１１には、１対の取り込みローラ１２が設けられている。取り込みローラ１２は複数枚の紙葉類Ｐを受入口１１から一括で取り込む。このため、一括搬送路６により一括で搬送された複数枚の紙葉類Ｐを、受入口１１から内部に受け入れる際に、紙葉類Ｐ同士がばらついてずれるのを抑えることができる。取り込みローラ１２は、本発明の「取り込み手段」の一例である。
【００５０】
受入口１１の下方には、集積部１３が設けられている。集積部１３は、受入口１１から受け入れた複数枚の紙葉類Ｐを、前後方向Ｆ、Ｂに集積して保留する空間である（図６参照）。集積部１３は、図５（ａ）、（ｂ）に示すように、前後方向Ｆ、Ｂに対して垂直で、かつ左右方向Ｌ、Ｒに所定の間隔をおいて設けられた１対のガイド板１４を、前後方向Ｆ、Ｂに所定の間隔をおいて２対設けて構成されている。集積部１３の上方は、開放されているが、集積部１３の下方は、紙葉類収納装置１０の内壁により閉塞されている。このため、複数枚の紙葉類Ｐは、取り込みローラ１２により前後方向Ｆ、Ｂに並ぶガイド板１４の間に挿し込まれて、下端を揃えられ、該ガイド板１４間で前後方向Ｆ、Ｂへ集積されて保留される。
【００５１】
集積部１３の前後（Ｆ方向側とＢ方向側）には、紙葉類Ｐを収納する収納空間１５、１６が設けられている。収納空間１５、１６は、紙葉類収納装置１０の内壁とガイド板１４により六方（上下、左右、前後）を囲われて構成されている。各収納空間１５、１６には、保持板１７と押圧体１８が設けられている。押圧体１８は、ばねなどから成り、保持板１７をガイド板１４の方へ押圧する。保持板１７は、ガイド板１４との間に紙葉類Ｐを挟み込んで保持する（図６参照）。このため、紙葉類Ｐは、収納空間１５、１６において、上下方向Ｕ、Ｄと左右方向Ｌ、Ｒに平行な起立姿勢で、前後方向Ｆ、Ｂに集積された状態を維持される。
【００５２】
集積部１３の付近には、図５（ｂ）に示すように、押し込み棒１９とスライド機構２０が設けられている。押し込み棒１９は、上下方向Ｕ、Ｄと平行に、スライド機構２０のスライダ２１上に立設されている。スライド機構２０のレール２２は、前後方向Ｆ、Ｂと平行に設けられている。スライダ２１は、レール２２に前後方向Ｆ、Ｂへ移動可能に取り付けられている。
【００５３】
スライド機構２０は、図示しないモータなどの駆動部を備えている。スライド機構２０は、駆動部の駆動により、スライダ２１とともに押し込み棒１９を、左右方向Ｌ、Ｒに並ぶガイド板１４の間を通過させて前後方向Ｆ、Ｂへ往復移動させる。押し込み棒１９は、前後方向Ｆ、Ｂへ移動することにより、集積部１３に保留された紙葉類Ｐを各収納空間１５、１６に一括で送り込む。スライド機構２０は、本発明の「移動手段」の一例である。スライド機構２０と押し込み棒１９は、本発明の「送り込み手段」の一例である。
【００５４】
紙葉類Ｐを受入口１１から集積部１３に取り込む際は、前後の収納空間１５、１６のうち、紙葉類Ｐを収納する方の収納空間とは違う方の収納空間に、押し込み棒１９を退避させておく。たとえば、前側（Ｆ方向側）の収納空間１５に紙葉類Ｐを収納する場合は、図５に示すように、押し込み棒１９を後側（Ｂ方向側）の収納空間１６に退避させておく。
【００５５】
複数枚の紙葉類Ｐが一括搬送路６により受入口１１へ一括で搬送されて来ると、取り込みローラ１２により紙葉類Ｐを受入口１１から集積部１３に一括で取り込む。すると、図６（ａ）に示すように、紙葉類Ｐが集積部１３で集積される。紙葉類Ｐを集積部１３で保留した後、押し込み棒１９をスライド機構２０により、ガイド板１４の後側から前方Ｆへ移動させて行くと、図６（ｂ）に示すように、押し込み棒１９がガイド板１４間に保留された紙葉類Ｐの中央を前方Ｆへ押して行く。このため、図６（ｃ）に示すように、紙葉類Ｐが撓んで、押し込み棒１９により集積部１３から前側の収納空間１５へ一括で押し込まれて行く。そして、押し込み棒１９が一定量移動すると、図６（ｄ）に示すように、紙葉類Ｐの撓みが解放され、紙葉類Ｐが収納空間１５に収納される。
【００５６】
次に、たとえば、後側の収納空間１６に紙葉類Ｐを収納する場合は、押し込み棒１９を前側の収納空間１５に位置させたままにしておく。そして、搬送されて来た紙葉類Ｐを取り込んで、図６（ｅ）に示すように、集積部１３で集積して保留した後、押し込み棒１９をスライド機構２０により、ガイド板１４の前側から後方Ｂへ移動させて行く。すると、図６（ｆ）に示すように、押し込み棒１９がガイド板１４間に保留された紙葉類Ｐの中央を後方Ｂへ押して行く。このため、図６（ｇ）に示すように、紙葉類Ｐが撓んで、押し込み棒１９により集積部１３から後側の収納空間１６へ一括で押し込まれて行く。そして、押し込み棒１９が一定量移動すると、図６（ｈ）に示すように、紙葉類Ｐの撓みが解放され、紙葉類Ｐが収納空間１６に収納される。
【００５７】
上記実施形態によると、一括搬送路６により一括で搬送された複数枚の紙葉類Ｐを、取り込みローラ１２により受入口１１から一括で取り込んで、集積部１３で集積して保留した後、押し込み棒１９により前後の各収納空間１５、１６に一括で押し込んで収納することができる。このため、複数枚の紙葉類Ｐの収納時間を短縮することが可能となる。また、複数枚の紙葉類Ｐを一括して受入口１１から取り込んで前後の各収納空間１５、１６に収納するまでに、紙葉類Ｐを屈曲させて向きを変更する必要がないので、紙葉類Ｐ同士が前後にずれるのを抑えて、ジャム障害の発生リスクを軽減することが可能となる。また、複数枚の紙葉類Ｐがばらけることはなく、収納時のジャム障害の発生リスクをより軽減することができる。
【００５８】
また、紙葉類収納装置１０の内部空間を１つの収納空間にして、容量一杯に紙葉類Ｐを収納しようとする場合、動作する機構にかかる負荷が大きくなるので、弾性力や駆動力や剛性の大きな部品が必要になり、コストアップを招いてしまう。然るに、上記実施形態では、紙葉類収納装置１０の内部空間を２つの収納空間１５、１６に分割しているので、各収納空間１５、１６の紙葉類Ｐの収納枚数が少なくなって、動作する機構１７〜２２にかかる負荷が小さくなる。このため、各部１７〜２２に弾性力や駆動力や剛性が比較的小さい部品を用いて、低コスト化と軽量化を図ることが可能となる。しかも、紙葉類収納装置１０内のスペースが有効活用されて、収納容量が大きくなり、紙葉類Ｐの収納枚数を多くすることができる。
【００５９】
さらに、図１〜図４に示した紙葉類処理装置１００、２００、３００において、投入された紙葉類Ｐの種類に応じて収納空間１５、１６を選択して、紙葉類Ｐを分別収納することができる。特に、複数の一時保留部３ａ、３ｂ、３、９ａ、９ｂを備えた紙葉類処理装置２００、３００では、投入された紙葉類Ｐの種類に応じて一時保留部３ａ、３ｂ、３、９ａ、９ｂと収納空間１５、１６を選択して、紙葉類Ｐを一時保留部３ａ、３ｂ、３、９ａ、９ｂで分別保留した後、紙葉類Ｐを収納空間１５、１６に分別収納することができる。
【００６０】
図７は、本発明の他の実施形態に係る紙葉類収納装置３０を示した図である。詳しくは、紙葉類収納装置３０の内部の上面図を図７（ａ）に示し、図７（ａ）でＬ方向側から見た側面図を図７（ｂ）に示している。図８は、紙葉類収納装置３０による紙葉類の収納動作を示した図である。
【００６１】
紙葉類収納装置３０の受入口１１の下方には、集積部３３が設けられている。集積部３３は、左右方向Ｌ、Ｒに所定の間隔をおいて設けられた１対のガイド体３１と、１対の支持ばね３２とから構成されている。支持ばね３２は、本発明の「支持手段」の一例である。
【００６２】
各ガイド体３１は、円柱形状をしていて、上下方向Ｕ、Ｄと平行に溝３４が形成されている。各支持ばね３２は、溝３４同士が対向するように、各ガイド体３１を前後Ｆ、Ｂに所定角度まで回転可能に支持する。各支持ばね３２は、紙葉類収納装置３０の内壁に取り付けられている。集積部３３の上方は、開放されているが、集積部３３の下方は、紙葉類収納装置３０の内壁により閉塞されている。このため、複数枚の紙葉類Ｐは、取り込みローラ１２により受入口１１からガイド体３１の溝３４内および溝３４間に挿し込まれて、下端を揃えられ、前後方向Ｆ、Ｂへ集積されて保留される。つまり、１対のガイド体３１の溝３４の内側が、集積部３３の紙葉類Ｐを集積して保留する空間である（図８参照）。各ガイド体３１の前後には、受け板３５が設けられている。各収納空間１５、１６にある保持板１７は、受け板３５との間に紙葉類Ｐを挟み込んで保持する（図８参照）。
【００６３】
図８（ａ）に示すように、押し込み棒１９を後側の収納空間１６に退避させた後、複数枚の紙葉類Ｐが一括搬送路６（図１など）により受入口１１へ搬送されて来ると、取り込みローラ１２により紙葉類Ｐを一括で取り込んで、集積部３３に集積させる。そして、紙葉類Ｐを集積部３３で保留した後、押し込み棒１９をスライド機構２０により、ガイド体３１の後側（Ｂ方向側）から前方Ｆへ移動させて行く。すると、図８（ｂ）に示すように、押し込み棒１９が各ガイド体３１の溝３４に保留された紙葉類Ｐの中央を前方Ｆへ押して行く。このため、紙葉類Ｐが撓み、各ガイド体３１が紙葉類Ｐの左右の端部で溝３４の側壁を押されて、前方Ｆへ回転して行く。そして、図８（ｃ）に示すように、紙葉類Ｐが押し込み棒１９により集積部３３から前側（Ｆ方向側）の収納空間１５へ一括で押し込まれて行く。そして、紙葉類Ｐの左右（Ｌ、Ｒ方向）の端部が溝３４から抜けると、図８（ｄ）に示すように、各ガイド体３１が支持ばね３２の弾性力により溝３４同士を対向させた初期状態に復帰して静止する。また、紙葉類Ｐの撓みが解放され、紙葉類Ｐが収納空間１５に収納される。
【００６４】
その後、搬送されて来た紙葉類Ｐを取り込んで、図８（ｅ）に示すように、集積部３３で集積して保留した後、押し込み棒１９をスライド機構２０により、ガイド体３１の前側から後方Ｂへ移動させて行く。すると、図８（ｆ）に示すように、押し込み棒１９が紙葉類Ｐの中央を後方Ｂへ押して行く。このため、紙葉類Ｐが撓み、各ガイド体３１が後方Ｂへ回転して行く。そして、図８（ｇ）に示すように、紙葉類Ｐが押し込み棒１９により集積部３３から後側（Ｂ方向側）の収納空間１６へ一括で押し込まれて行く。そして、紙葉類Ｐの左右の端部が溝３４から抜けると、図８（ｈ）に示すように、各ガイド体３１が支持ばね３２の弾性力により初期状態に復帰して静止する。また、紙葉類Ｐの撓みが解放され、紙葉類Ｐが収納空間１６に収納される。
【００６５】
上記実施形態によると、各ガイド体３１が紙葉類Ｐの前後方向Ｆ、Ｂへの移動に連動して回転するので、紙葉類Ｐの変形箇所が押し込み棒１９の左右方向Ｌ、Ｒの端部と接触する２箇所だけになる。このため、収納時に紙葉類Ｐへかかる応力が緩和され、紙葉類Ｐの変形度合いが減少し、ジャム障害の発生リスクをより軽減することが可能となる。また、紙葉類Ｐを押し込む機構２０〜２２にかかる負荷が軽減され、各部２０〜２２に駆動力や剛性が比較的小さい部品を用いて、低コスト化と軽量化を図ることが可能となる。さらに、紙葉類Ｐがガイド体３１の溝３４から抜け易くなるので、収納時に紙葉類Ｐの一部が溝３４内に残留して、ジャム障害などの異常が発生するのを防止することができる。
【００６６】
図９は、本発明の他の実施形態に係る紙葉類収納装置４０を示した図である。詳しくは、紙葉類収納装置４０の内部の上面図を図９（ａ）に示し、図９（ａ）でＬ方向側から見た側面図を図９（ｂ）に示し、図９（ａ）でＦ方向側から見た側面図を図９（ｃ）に示している。図１０は、紙葉類収納装置４０による紙葉類のセンタリング動作を示した図である。
【００６７】
紙葉類Ｐは、投入時や搬送時などに姿勢や左右の位置がばらついて、そのまま集積部１３に取り込まれる場合がある。また、紙葉類Ｐは、集積部１３に取り込まれた時に姿勢や左右の位置がばらつく場合がある。このようにばらついた状態では、押し込み棒１９に対して紙葉類Ｐの左右の位置ずれが大きい。このため、ばらついた状態の紙葉類Ｐを押し込み棒１９により集積部１３から収納空間１５、１６へ押し込んで行くと、紙葉類Ｐを押し込み棒１９と保持板１７（または既に収納された紙葉類Ｐ）との間に挟み込む前に、紙葉類Ｐの左右の端部の一方がガイド板１４間から抜けてしまうおそれがある。その場合、紙葉類Ｐの左右の端部の他方がガイド板１４間に残留してしまい、ジャム障害や収納動作の不良の発生リスクが高くなる。
【００６８】
そこで、紙葉類収納装置４０では、図９（ａ）、（ｃ）に示すように、集積部１３の左右に、１対のセンタリングガイド４１を設けている。各センタリングガイド４１の上部は、軸などを介して紙葉類収納装置４０の筐体に左右方向Ｌ、Ｒへ回転可能に支持されている。各センタリングガイド４１の下部は、ばねなどの押圧体４２により、集積部１３の中心に向けて押圧されている。押圧体４２は、紙葉類収納装置４０の内壁に取り付けられている。各センタリングガイド４１の下端には、ローラ４３が連結されている。各ローラ４３は、押圧体４２によりカムスライダ４４の左右の側面に押し付けられている。
【００６９】
カムスライダ４４は、図５などに示したスライダ２１に代えて、スライド機構２０のレール２２に前後方向Ｆ、Ｂへ移動可能に取り付けられている。カムスライダ４４の中央の左右方向Ｌ、Ｒの幅は狭くなっていて、前部と後部の左右方向Ｌ、Ｒの幅は広くなっている。押し込み棒１９は、カムスライダ４４上に立設されている。
【００７０】
カムスライダ４４と押し込み棒１９がスライド機構２０により前後方向Ｆ、Ｂへ移動すると、ローラ４３が転動しながらカムスライダ４４の幅の狭い部分と幅の広い部分に接触する。このため、センタリングガイド４１同士が近づいたり遠ざかったりして、集積部１３の左右方向Ｌ、Ｒの幅が変化する。カムスライダ４４を備えたスライド機構２０とローラ４３は、本発明の「駆動手段」の一例である。また、スライド機構２０とローラ４３とセンタリングガイド４１は、本発明の「センタリング手段」の一例である。
【００７１】
紙葉類Ｐを受入口１１から集積部１３に取り込む際は、図１０（ａ）に示すように、押し込み棒１９を一方の収納空間１６に退避させておく。これにより、ローラ４３がカムスライダ４４の幅の広い部分に接触し、図１０（ｂ）に示すように、センタリングガイド４１同士が遠ざかって、集積部１３の左右方向Ｌ、Ｒの幅が最も広くなる。このときのセンタリングガイド４１の位置が退避位置である。また、このときのセンタリングガイド４１同士の最短距離が紙葉類Ｐの搬送幅以上になるように、退避位置は設定されている。このため、複数枚の紙葉類Ｐが受入口１１から集積部１３にスムーズに取り込まれる。
【００７２】
そして、紙葉類Ｐを取り込みローラ１２により集積部１３に取り込んだ後、押し込み棒１９とカムスライダ４４をスライド機構２０により集積部１３へ移動させて行く。すると、押し込み棒１９が集積部１３に保留された紙葉類Ｐに接触する前に、図１０（ｃ）および図１０（ｄ）に示すように、ローラ４３がカムスライダ４４の幅の狭い部分に接触し、センタリングガイド４１同士が近づいて、集積部１３の左右方向Ｌ、Ｒの幅が最も狭くなる。このときのセンタリングガイド４１の位置がセンタリング位置である。また、このときのセンタリングガイド４１同士の最短距離が収納対象の紙葉類Ｐの短手方向の最大幅寸法に近くなるように、センタリング位置は設定されている。このため、集積部１３内の紙葉類Ｐが、センタリングガイド４１により左右方向Ｌ、Ｒから押されて、中央に移動して集まった状態になる。そして、紙葉類Ｐは、押し込み棒１９により集積部１３から収納空間１５へ一括で押し込まれて収納される。
【００７３】
上記実施形態によると、複数枚の紙葉類Ｐが集積部１３に取り込まれた後、センタリングガイド４１がセンタリング位置へ移動して、紙葉類Ｐを左右方向Ｌ、Ｒから中央に集めるので、紙葉類Ｐの姿勢や左右の位置のばらつきを補正して、紙葉類Ｐを集積部１３の中央付近に揃えて整列させることができる。そして、各収納空間１５、１６への収納時に、押し込み棒１９で紙葉類Ｐの中央をバランスよく押して、紙葉類Ｐをほぼ左右均等にガイド板１４間から収納空間１５、１６へ移動させることができる。また、大きさの異なる紙葉類Ｐが混在している場合でも、該紙葉類Ｐを集積部１３の中央付近に整列させて、各収納空間１５、１６へ確実に収納することができる。よって、収納時のジャム障害や収納動作の不良の発生リスクを軽減することが可能となる。
【００７４】
図１１は、本発明の他の実施形態に係る紙葉類収納装置５０を示した図である。紙葉類収納装置５０では、センタリング手段として、１対のセンタリングガイド５１と１対の保持ばね５２を備えている。各センタリングガイド５１は、集積部１３の左右に設けられている。各センタリングガイド５１の上部は、軸などを介して紙葉類収納装置５０の筐体に左右方向Ｌ、Ｒへ回転可能に支持されている。各保持ばね５２は、紙葉類収納装置５０の内壁に取り付けられている。各保持ばね５２は、各センタリングガイド５１の下部を所定の力で支持して、各センタリングガイド５１をセンタリング位置に保持している。
【００７５】
受入口１１から取り込んだ紙葉類Ｐの枚数が少ない場合、紙葉類Ｐは、集積部１３の下方Ｄへ行くに連れて、センタリングガイド５１により集積部１３の中央付近に案内されて整列される（図１１（ａ）の状態）。また、受入口１１から取り込んだ紙葉類Ｐの枚数が多い場合は、紙葉類Ｐの剛性が高くなるので、センタリングガイド５１が紙葉類Ｐに押されて、保持ばね５２が圧縮し、センタリングガイド５１が一時的に退避位置の方へ回転する（図１１（ｂ）の状態）。そして、紙葉類Ｐが集積部１３に完全に入り込むと、センタリングガイド５１が保持ばね５２の弾性力によりセンタリング位置に復帰して、紙葉類Ｐが集積部１３の中央付近に集められて整列される（図１１（ａ）の状態）。
【００７６】
上記実施形態によると、図９および図１０に示した実施形態よりも、構造が簡単になり、低コスト化と軽量化を図ることが可能となる。
【００７７】
他の実施形態として、モータなどの駆動部により、直接センタリングガイド５１を回転させて、集積部１３の左右方向Ｌ、Ｒの幅を変化させてもよい。また、センタリングガイド５１を軸などで支持せず、鉛直状態で左右方向Ｌ、Ｒへ直線的に移動させて、集積部１３の左右方向Ｌ、Ｒの幅を変化させてもよい。
【産業上の利用可能性】
【００７８】
本発明は、たとえばＡＴＭのような現金自動預金支払機に搭載される入出金処理装置や入金処理装置や収納庫など、紙葉類を収納する装置全般に適用することができる。
【符号の説明】
【００７９】
１    投入部
３、３ａ、３ｂ、９ａ、９ｂ    一時保留部
５    搬送路
６    一括搬送路
１０    収納庫、紙葉類収納装置
１１    受入口
１２    取り込みローラ
１３、３３    集積部
１５、１６    収納空間
１４    ガイド板
１９    押し込み棒
２０    スライド機構
２１    スライダ
２２    レール
３０、４０、５０    紙葉類収納装置
３１    ガイド体
３２    支持ばね
３４    溝
４１、５１    センタリングガイド
４３    ローラ
４４    カムスライダ
５２    保持ばね
１００、２００、３００    紙葉類処理装置
Ｆ、Ｂ    前後方向
Ｌ、Ｒ    左右方向
Ｕ、Ｄ    上下方向
Ｐ    紙葉類
【図１】
2013014698.tif 000003
【図２】
2013014698.tif 000004
【図３】
2013014698.tif 000005
【図４】
2013014698.tif 000006
【図５】
2013014698.tif 000007
【図６】
2013014698.tif 000008
【図７】
2013014698.tif 000009
【図８】
2013014698.tif 000010
【図９】
2013014698.tif 000011
【図１０】
2013014698.tif 000012
【図１１】
2013014698.tif 000013
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
投入された紙葉類を搬送する搬送路と、
紙葉類を一時的に保留した後に繰り出す一時保留部と、
紙葉類を収納する収納庫と、を備えた紙葉類処理装置において、
前記一時保留部は、複数枚の紙葉類を一時的に保留した後に、一括で繰り出し、
前記搬送路は、前記一時保留部から繰り出された複数枚の紙葉類を一括で搬送する一括搬送路を備え、
前記収納庫は、前記一括搬送路により搬送された複数枚の紙葉類を一括で受け入れる受入口を備え、
前記一括搬送路を、上下方向と平行に配置し、
前記一時保留部を、前記一括搬送路に対して垂直な側方に配置し、
前記収納庫を、前記一時保留部および前記一括搬送路より下方に配置し、
前記受入口を、前記一括搬送路の直下に配置した、ことを特徴とする紙葉類処理装置。
【請求項２】
請求項１に記載の紙葉類処理装置において、
前記一時保留部を、前記一括搬送路に対して垂直な側方に複数配置した、  ことを特徴とする紙葉類処理装置。
【請求項３】
請求項１または請求項２に記載の紙葉類処理装置において、
当該装置の前部に、紙葉類を投入する投入部を配置し、
当該装置の中央に、前記一括搬送路を配置し、
前記一括搬送路の後方に、前記一時保留部を配置し、
前記収納庫の上面の中央に、前記受入口を設け、
前記収納庫は、
前記受入口の下方に設けられ、前記受入口から受け入れた複数枚の紙葉類を前後方向に集積して保留する集積部と、
前記集積部の前後にそれぞれ設けられ、紙葉類を収納する収納空間と、
前記集積部に保留された紙葉類を前記各収納空間に一括で送り込む送り込み手段と、を備えた、ことを特徴とする紙葉類処理装置。
【請求項４】
請求項３に記載の紙葉類処理装置において、
前記収納庫は、複数枚の紙葉類を前記受入口から一括で取り込む取り込み手段を備えた、ことを特徴とする紙葉類処理装置。
【請求項５】
請求項３または請求項４に記載の紙葉類処理装置において、
前記集積部は、
前後方向に対して垂直でかつ左右方向に所定の間隔をおいて設けられた１対のガイド板を、前後方向に所定の間隔をおいて２対設けて構成され、
前後方向に並ぶ前記ガイド板の間に複数枚の紙葉類を集積して保留し、
前記送り込み手段は、
上下方向に平行に設けられた押し込み棒と、
前記押し込み棒を左右方向に並ぶ前記ガイド板の間を通過させて前後方向へ往復移動させる移動手段と、から構成され、
前記押し込み棒が前記ガイド板の前側または後側から、後方または前方へ移動することにより、前記ガイド板間に保留された複数枚の紙葉類を、後側の収納空間または前側の収納空間に一括で押し込む、ことを特徴とする紙葉類処理装置。
【請求項６】
請求項３または請求項４に記載の紙葉類処理装置において、
前記集積部は、
上下方向と平行に溝を有し、左右方向に所定の間隔をおいて設けられた１対のガイド体と、
前記溝同士が対向するように、前記各ガイド体を前後に所定角度まで回転可能に支持する支持手段と、から構成され、
前記溝内および前記溝間に複数枚の紙葉類を集積して保留し、
前記送り込み手段は、
上下方向に平行に設けられた押し込み棒と、
前記押し込み棒を前記ガイド体の間を通過させて前後方向へ往復移動させる移動手段と、から構成され、
前記押し込み棒が前記ガイド体の前側または後側から、後方または前方へ移動することにより、前記溝に保留された複数枚の紙葉類を、後側の収納空間または前側の収納空間に一括で押し込む、ことを特徴とする紙葉類処理装置。
【請求項７】
請求項３ないし請求項５のいずれかに記載の紙葉類処理装置において、
前記収納庫は、前記集積部に保留された紙葉類を、左右方向から中央に集めるセンタリング手段を備えた、ことを特徴とする紙葉類処理装置。
【請求項８】
請求項７に記載の紙葉類処理装置において、
前記センタリング手段は、
前記集積部の左右に設けられた１対のセンタリングガイドと、
前記センタリングガイド同士を近づけたり遠ざけたりするように駆動して、前記集積部の左右方向の幅を変化させる駆動手段と、から構成され、
前記センタリングガイド同士が近づいて、前記集積部の左右方向の幅が狭くなることにより、前記集積部に保留された紙葉類が中央に移動する、ことを特徴とする紙葉類処理装置。
【請求項９】
複数枚の紙葉類を上方から受け入れる受入口と、
複数枚の紙葉類を前記受入口から一括で取り込む取り込み手段と、
前記受入口の下方に設けられ、前記取り込み手段により取り込んだ複数枚の紙葉類を前後方向に集積して保留する集積部と、
前記集積部の前後にそれぞれ設けられ、紙葉類を収納する収納空間と、
前記集積部に保留された紙葉類を前記各収納空間に一括で送り込む送り込み手段と、を備えた、ことを特徴とする紙葉類収納装置。
【請求項１０】
請求項９に記載の紙葉類収納装置において、
前記集積部は、
前後方向に対して垂直でかつ左右方向に所定の間隔をおいて設けられた１対のガイド板を、前後方向に所定の間隔をおいて２対設けて構成され、
前後方向に並ぶ前記ガイド板の間に複数枚の紙葉類を集積して保留し、
前記送り込み手段は、
上下方向に平行に設けられた押し込み棒と、
前記押し込み棒を左右方向に並ぶ前記ガイド板の間を通過させて前後方向へ往復移動させる移動手段と、から構成され、
前記押し込み棒が前記ガイド板の前側または後側から、後方または前方へ移動することにより、前記ガイド板間に保留された複数枚の紙葉類を、後側の収納空間または前側の収納空間に一括で押し込む、ことを特徴とする紙葉類収納装置。
【請求項１１】
請求項９に記載の紙葉類収納装置において、
前記集積部は、
上下方向と平行に溝を有し、左右方向に所定の間隔をおいて設けられた１対のガイド体と、
前記溝同士が対向するように、前記各ガイド体を前後に所定角度まで回転可能に支持する支持手段と、から構成され、
前記溝内および前記溝間に複数枚の紙葉類を集積して保留し、
前記送り込み手段は、
上下方向に平行に設けられた押し込み棒と、
前記押し込み棒を前記ガイド体の間を通過させて前後方向へ往復移動させる移動手段と、から構成され、
前記押し込み棒が前記ガイド体の前側または後側から、後方または前方へ移動することにより、前記溝に保留された複数枚の紙葉類を、後側の収納空間または前側の収納空間に一括で押し込む、ことを特徴とする紙葉類収納装置。
【請求項１２】
請求項９または請求項１０に記載の紙葉類収納装置において、
前記集積部に保留された紙葉類を、左右方向から中央に集めるセンタリング手段を備えた、ことを特徴とする紙葉類収納装置。
【請求項１３】
請求項１２に記載の紙葉類収納装置において、
前記センタリング手段は、
前記集積部の左右に設けられた１対のセンタリングガイドと、
前記センタリングガイド同士を近づけたり遠ざけたりするように駆動して、前記集積部の左右方向の幅を変化させる駆動手段と、から構成され、
前記センタリングガイド同士が近づいて、前記集積部の左右方向の幅が狭くなることにより、前記集積部に保留された紙葉類が中央に移動する、ことを特徴とする紙葉類収納装置。
【国際調査報告】
2013014698.tif 000014
2013014698.tif 000015
2013014698.tif 000016